(57)【特許請求の範囲】
【請求項１】
電子部品を搭載したプリント配線基板と、該プリント配線基板を支持する筐体とを有する電子機器において、
前記筐体の後方部で支持される左右の水平な方向に配置された第１シャフトを中心に回転して、閉じた位置で前記筐体の底部に収納され、立てた位置で前記筐体を支持する、側面に第１排気孔を有するチルト足と、
前記チルト足の内部に配置されたファンと、
前記チルト足が閉じた位置で、該チルト足の上方に位置する前記筐体の底部に設けられた第２排気孔と、
を具備したことを特徴とする電子機器。
【請求項２】
前記チルト足に設けられた突起部と、
前記ファンの駆動部に接続された第１端子と、
前記筐体に支持される第２シャフトと、電源電圧を供給する電源部に接続された第２端子と、該第２端子を取り付け、前記チルト足を閉じた位置で前記突起部と離間し、前記チルト足を立てた位置で前記突起部の押圧により前記第２シャフトを中心に回転して、前記第１端子と第２端子とが接触する回転部とを有するスイッチ部と、
を更に具備したことを特徴とする請求項１記載の電子機器。
【請求項３】
前記チルト足に設けられた突起部と、
第１端子及び第２端子に入力される第１及び第２クロック信号のいずれかのクロック信号を第３端子に入力される制御信号に基づいて、前記電子部品に出力するクロック切替え部と、
前記第３端子に接続された第４端子と、
前記筐体に支持される第２シャフトと、電源電圧を供給する電源部に接続された第５端子と、該第５端子を取り付け、前記チルト足を閉じた位置で前記突起部と離間し、前記チルト足を立てた位置で前記突起部の押圧により前記第２シャフトを中心に回転して、前記第４端子と第５端子とが接触する回転部とを有するスイッチ部と、
を更に具備したことを特徴とする請求項１記載の電子機器。
【請求項４】
左右に広がりを有し、一端が前記筐体の手前の底部に固定され、他端が該底部よりも後方に位置する前記チルト足の部位に固定され、前記チルト足を閉じた位置で、該筐体とチルト足との間隙に収納され、前後に折り畳み可能な仕切り部を更に具備したことを特徴とする請求項１記載の電子機器。
【請求項５】
電子部品と、
前記電子部品を保持する筐体と、
閉じられた位置で前記筐体の底部に収納され、立てられた位置で前記筐体を支持して放熱空間を形成するチルト脚と、
前記チルト脚に設けられたファンを有し、
前記ファンは前記チルト脚が立てられるときに移動することを特徴とする電子機器。
【請求項６】
前記チルト脚は、換気口を有することを特徴とする請求項５記載の電子機器。
【請求項７】
前記チルト脚は、閉じられた位置で前記チルト脚の上方に位置する前記筐体の底部に設けられた第２換気口を有することを特徴とする請求項５記載の電子機器。
【請求項８】
前記チルト脚は、閉じられた位置で前記筐体との間に隙間を形成し、一端が前記筐体に固定され、他端が前記チルト脚に固定され、前記チルト脚が閉じられた位置で前記隙間に収容され、前後に折りたたみ可能な仕切り部を有することを特徴とする請求項５記載の電子機器。
【発明の詳細な説明】
【０００１】
【発明の属する技術分野】
本発明は情報処理装置等の電子機器に関し、特に、ノート型パーソナルコンピュータ（以下、ノートパソコンと略す）などの電子機器の電子部品を冷却する冷却構造に関するものである。
【０００２】
【従来の技術】
最近、特に業務の効率化にノートパソコンが広く普及されるに従って機能も多種、多様が要求され、それに伴って内蔵されるプリント配線板には高集積化され、発熱量の大きな電子部品が高密度に実装されている。その上、ＣＰＵの高速化による消費電力増加による発熱量が増加している。そのため、このような電子部品を効果的に冷却する必要が生じてきている。
【０００３】
図５は、従来のノートパソコンの斜視図である。
この図に示すように、従来のノートパソコンは、筐体２に、キーボード６、ディスプレイ８が収容されている。図示しないが筐体２の内部には、ＣＰＵなどの電子部品がプリント配線基板上に搭載されている。この電子部品を冷却するべく筐体２の後方にファン１２が取り付けられている。ディスプレイ８の視野角調整のために、チルト足１４が設けられている。
【０００４】
筐体２の手前の正面には、通気孔４が開けられており、この通気孔４から筐体２の内部に風を送り込み、ファン１２を回転させて、筐体２の後部に設けた排気孔１０よりＣＰＵなどの電子部品が発生した熱を排気をするようにしている。
【０００５】
【発明が解決しようとする課題】
しかしながら、従来の情報処理装置においては、装置の小型・軽量化により、ファン１２と電子部品との間には、十分な空間を設けることができないため、電子部品が発生した熱を排気するために効率的な排気空間を形成することができず、理想的な熱排気ができない問題があった。
【０００６】
本発明は、このような点に鑑みてなされたものであり、排気空間を従来よりも増加させて、効率よく熱排気ができる電子機器を提供することを目的としている。
【０００７】
【課題を解決するための手段】
図１は本発明の原理図である。
この図に示すように、文字などを入力するキーボード２２やディスプレイ２４などの制御をする電子部品２５を搭載するプリント配線基板２３と、プリント配線基板２３を支持する筐体２０とを有する情報処理装置等の電子機器において、筐体２０の後方部で支持される左右の水平な方向に配置された第１シャフト２８を中心に回転して、閉じた位置で筐体２０の底部に収納され、立てた位置で筐体２０を支持する、側面に第１排気孔２７を有するチルト足２６と、チルト足２６の内部に配置されたファン３０と、チルト足２６を閉じた位置で、チルト足２６の上方に位置する筐体２０の底部に設けられた第２排気孔２１とを具備したことを特徴とする。
【０００８】
以上のように発明を構成したので、情報処理装置等の電子機器は、机などの上に置かれて使用されるが、チルト足２６をシャフト２８を中心に時計と逆方向に回転させて、立たせることにより、チルト足２６が筐体２０を支持する状態で、机などの上に載置される。
【０００９】
このチルト足２６を立たせた状態では、チルト足２６と筐体２０の底部と机などにより大きな空間が形成される。この状態で、電子部品２５を動作させると、電子部品２５より熱が発生して、熱が筐体２０の底部の排気孔２１より拡散する。
【００１０】
チルト足２６の内部に取り付けたファン３０が回転して、この空間に排気された熱を第１排気孔２７を介して外部に排出する。この排気空間が従来に比べて大きく取れるので、従来よりも熱排気効率が向上する。
【００１１】
また、チルト足２６に突起部３４を設け、ファン３０の駆動部に接続された端子４４と、筐体２０に支持される第２シャフト３９と、電源電圧を供給する電源部４０に接続された端子４１と、端子４１を取り付け、チルト足２６が水平な位置で突起部と離間し、チルト足２６を立てた位置で突起部３４の押圧により第２シャフト３９を中心に回転して、端子４１と端子４３とが接触する回転部３７とを有するスイッチ部３８とを更に具備して構成してもよい。
【００１２】
これにより、チルト足２６を立てた状態では、回転部３７の回転によって、端子４４と端子４１が接触して、ファン３０の駆動部に電源電圧が電源部４０より供給されて、ファン３０が駆動されて回転し、電子部品２５が発生する熱を排気して、電子部品２５を冷却する。
【００１３】
一方、チルト足２６が閉じた状態では、端子４１と端子４３が離間するため、ファン３０が駆動されず停止する。これにより、ファン３０の駆動によるバッテリの消耗が抑えられる。
【００１４】
また、第１端子及び第２端子に入力される第１及び第２クロック信号のいずれかのクロック信号を第３端子に入力される制御信号に基づいて、電子部品２５に出力するクロック切替え部４５と、第３端子に接続された端子４３と、筐体２０に支持される第２シャフト３９と、電源電圧を供給する電源部４０に接続された端子４１と、端子４１を取り付け、チルト足２６が水平な位置で突起部３４と離間し、チルト足２６が垂直な位置で突起部３４の押圧により第２シャフト３９を中心に回転して、端子４１と端子４４とが接触する回転部３７とを有するスイッチ部３８とを更に具備して構成してもよい。
【００１５】
これにより、チルト足２６が立った状態では、回転部３７の回転によって、端子４３と端子４１が接触して、クロック切替え部４５の第３の端子に入力される制御信号の電位が電源電圧に等しくなり、例えば、高速な第１クロック信号を電子部品２５に出力する。そのため、電子部品２５が高速動作をする。この電子部品２５が発生した熱をファン３０を駆動させて回転させ、排気孔２７より熱排気をする。
【００１６】
一方、チルト足２６が閉じた状態では、端子４１と端子４４が離間するため、制御信号が、例えば、グラウンド電圧に等しくなり、クロック切替え部４５は、低速な第２クロック信号を電子部品２５に出力する。そのため、電子部品２５が低速動作をして、バッテリの消耗が抑えられる。
【００１７】
さらに、左右に広がりを有し、一端が筐体２０の手前の底部に固定され、他端が底部よりも後方に位置するチルト足２６の部位に固定され、チルト足２６を閉じた位置した時に、筐体２０とチルト足２６との間隙に収納され、前後に折り畳み可能な仕切り部３２をさらに具備してもよい。
【００１８】
これにより、チルト足２６を立てた状態においては、チルト足２６と筐体２０の底部と仕切り部２３とにより排気空間が形成されるが、排気効率が最も良くなる位置に、仕切り部２３を取り付けることにより、更に、排気効率が向上する。
【００１９】
【発明の実施の形態】
以下、図面を参照して本発明の実施の形態について説明する。
図２（ａ）〜（ｃ）は、本発明の実施形態による情報処理装置を示す図であり、特に、同図（ａ）は斜視図、同図（ｂ）は側面断面図、同図（ｃ）は裏面断面図である。
【００２０】
この図に示すように、情報処理装置は、筐体５０の奥に配設したシャフト５５を軸として回転するディスプレイ５２、水平な位置で筐体５０に支持されるキーボード５４、筐体５０の内部に収容されたプリント配線基板６０、チルト足５６、及び仕切り部６５を具備している。
【００２１】
筐体５０の前面には、通気孔５３が設けられている。筐体５０の内部に収容するプリント配線基板６０上には、ＣＰＵなどの電子部品６２、電源部９０、及びクロック切替え部９２が搭載されている。そして、電子部品６２の中でも発熱量の多いＣＰＵなどは、プリント配線基板６０の裏面のチルト足５６を閉じた位置でチルト足５６の上方に搭載されている。
【００２２】
チルト足５６を閉じた位置でチルト足５６の上方の筐体５０の底部には、スリットなどで形成される排気孔６１が設けられている。この排気孔６１は、プラスチック又は板金のスリットなどで形成する。
【００２３】
チルト足５６の側面には、スリットなどで形成される排気孔５７が設けられている。チルト足５０は、筐体５０に支持されるシャフト５８を中心にして約９０度回転するようになっている。チルト足５６が立った状態を維持するために筐体５０の奥にストッパ６８が設けられている。
【００２４】
チルト足５６の筐体５０の奥の方向に位置する先端は、筐体５０の奥に向かって突出する突起部６６が設けられている。チルト足５６の内部には、ファン６４が設けられている。
【００２５】
ファン６４は、複数個を設けてもよく、また、駆動部と扇の回転部とは分離して配置してもよいが、本例では、駆動部と扇を一体にしたファンユニットをチルト足５６の中央付近に設けている。
【００２６】
チルト足５６の底部とチルト足５６を閉じた位置でチルト足５６の底部が対向する筐体５０の側面とに固定され、左右の方向に広がりを持つ前後にジャバラ状に折り畳み可能な仕切り部６５が筐体５０とチルト足５６との間隙に収容されている。
【００２７】
仕切り部６５は、チルト足５６を立てた時に、チルト足５６、仕切り部６５、及び筐体５０により形成される排気空間が最適になる位置に設けられるものであり、例えば、ビニルなどを折り畳んで筐体５０の底部に収容する。
【００２８】
仕切り部６５が無ければ、チルト足５６を立てた時に、チルト足５６、机、及び筐体５０により排気空間が形成されるが、この排気空間だと熱が余分の空間に逃げてしまいファン６４により十分に排気できない場合も考えられるので、ファン６４の駆動能力などを考慮して、仕切り部６５の最適な取り付け位置を決める。
【００２９】
チルト足５６を閉じた位置で、突起部６６と接触せず、チルト足５６を立てた位置で突起部６６と接触して、突起部６６の押圧により筐体５０に支持されるシャフト７４を中心に回転する回転部７５を有するスイッチ部７０が設けられている。
【００３０】
シャフト７４を中心に、ばね７２が巻き付けられ、下方の突起部７６と上方の突起部７８とに支持されている。また、スイッチ部７０は、上方に導体から成る端子８０を有する。端子８０は、チルト足５６が閉じた位置で、筐体５０に支持される端子８８と離間し、チルト足５６が立った位置で、接触するように配置されている。端子８０には、ワイヤ８２が接続され、このワイヤ８２が電源部９０に接続されている。
【００３１】
一方、端子８８には、ワイヤ８４，８６が接続されている。ワイヤ８４には、クロック切替え部９２が接続され、ワイヤ８６には、ファン６４の駆動部が接続されている。
【００３２】
電源部９０は、図示しないが筐体５０の裏面に収納されるバッテリ又は商用電源を直流電圧に変換するアダプタからの電源電圧を電子部品６２、クロック切替え部９２、及びファン６４の駆動部に供給するものである。
【００３３】
クロック切替え部９２は、図示しないがクロック発生回路より、高速なクロック信号ＣＬＫ１、例えば、１００ＭＨｚ、及び低速なクロック信号ＣＬＫ２、例えば、５０ＭＨｚ、及びスイッチ部７０より電源電圧又はグラウンド電圧の制御信号を入力して、制御信号の電位が電源電圧ならば、高速なクロック信号ＣＬＫ１を電子部品６２に供給し、グラウンド電位ならば、低速なクロック信号ＣＬＫ２を電子部品６２に供給するものである。
【００３４】
図３及び図４は、図２の情報処理装置の動作説明図である。
以下、これらの図を参照して、図２の情報処理装置の動作説明をする。
（ａ）  チルト足５６を立てた時の動作
チルト足５６を立てて使用する場合は、一般に、アダプタが使用されて、アダプタにより直流電圧に変換されて電源電圧が電源部９２より電子部品６２、クロック切替え部９２などに供給される。
【００３５】
利用者は、チルト足５６を時計の針と逆回りに回転させることにより、チルト足５６がシャフト５８を中心に回転して、ストッパ６８に支持され、略垂直な位置で、机などの上に支持される。また、仕切り部６５が前後にジャバラ状に開いて、図４に示すように、仕切り部６５、チルト足５６、及び筐体５０の裏面により最適な排気空間が形成される。
【００３６】
この時、チルト足５８の突起部６８が時計と逆回りに回転して、スイッチ部６６の下方の先端の突出部７６に接触し、スイッチ部７０を押圧して、スイッチ部７０に時計回りの回転力を与える。スイッチ部７０は、突起部６８により時計回りの回転力が与えられて、シャフト７４を中心に時計回りに回転する。
【００３７】
図３（ａ）及び図４に示すように、チルト足５６が立つと、スイッチ部７０の上方の端子８０が端子８８に接触して、端子８８に電源部９２から電源電圧が供給される。
【００３８】
端子８８は、ワイヤ８４を介してクロック切替え部９２の制御信号を入力する端子及びワイヤ８６を介してファン６４の駆動部に接続される。クロック切替え部９２の制御信号の電位は、電源部９２からの電源電圧に等しくなり、クロック切替え部９２は、高速なクロック信号ＣＬＫ１を電子部品６２に供給する。
【００３９】
そして、ＣＰＵなどが高速なクロック信号ＣＬＫ１により動作をする。また、ファン６４の駆動部には、電源電圧が供給されて、ファン６４が回転する。ＣＰＵなどの電子部品６２が高速クロックＣＬＫ１で動作することにより発生した熱が筐体５０の底面の排気孔６１から排気空間に排気される。
【００４０】
排気空間に排気された熱は、ファン６４の回転により、チルト足５６の側面の排気孔５７を介して外部に排出されて、電子部品６２が冷却される。この時、排気空間が最適に形成され、また、ＣＰＵなどの発熱量の多い電子部品が排気孔６１近くに配置してあるので、効率良く、電子部品６２が発生した熱を排気する。
【００４１】
（ｂ）  チルト足５６を閉じた時の動作
チルト足５６を閉じた状態で使用する場合は、例えば、膝の上で使用する時など、アダプタは用いずにバッテリの電源を使用することが多い。
【００４２】
チルト足５６が閉じた状態では、ばね７２の弾性力により、元の位置に戻って、図２（ｂ）及び図３（ｂ）に示すように、チルト足５６の突起部６６がスイッチ部７０から離間する。そのため、スイッチ部７０の端子８０と端子８８とが非接触状態となっている。
【００４３】
このため、ワイヤ８６，８８の電位は、クラウンド電位に等しくなり、クロック切替え部８２の制御信号の電位は、グラウンド電位に等しくなって、クロック切替え部８２は、低速なクロック信号ＣＬＫ２を電子部品６２に供給する。
【００４４】
これにより、ＣＰＵは低速動作となり、消費電流が抑えられ、発熱量が抑えられる。そのため、利用者が膝上で情報処理装置を使用する場合でも、利用者が排出される熱により低温火傷が起こることも抑制される。
【００４５】
また、ワイヤ８８の電位がグラウンド電位となっているため、ファン６４は駆動されず、ファン６４の駆動によるバッテリの消耗が無くなる。
以上説明した実施形態によれば、チルト足５６にファン６４を設けて、チルト足５６を立てた時は、ＣＰＵを高速に動作させて、筐体５０の底部に十分な排気空間を作って、ファン６４を駆動して熱排気するので、効率良く熱排気することができるとともとに、チルト足５６を閉じた状態では、ＣＰＵを低速に動作させて、発生する熱を抑制するので、膝上で情報処理装置を使用しても低温火傷の発生を抑制することができる。
【００４６】
【発明の効果】
以上説明したように、請求項１−４，８記載の発明によれば、チルト足の内部にファンを配置するので、チルト足を立てた状態において、十分な排気空間を形成することができ、電子部品が発生する熱の排気効率が向上する。
請求項２，５記載の発明によれば、チルト足又はチルト機構が筐体を傾けるように機能したときに、ファンが駆動するので、バッテリの消費電力の低減させることが可能となる。
請求項３，６記載の発明によれば、チルト足又はチルト機構が筐体を傾けるように機能したときに、動作クロック速度が変更されて、低速動作をさせることが可能となるので、熱の発生を抑制することが可能となり、膝上で使用する際の低温火傷を防止できる。
請求項７記載の発明によれば、チルト機構が筐体を傾けるように機能したときに、所定の部品に電源供給を行って、該部品を動作させることができる。
請求項４，１１記載の発明によれば、仕切り部を設けるので、最適な排気空間を形成することができて、効率の良い熱排気をすることができる。
【００４７】
請求項２記載の発明によれば、チルト足を立てた時のみ、ファンを駆動させて、チルト足を閉じた状態では、ファンを停止するので、バッテリの消費電力の低減させることができる。
【００４８】
請求項３記載の発明によれば、チルト足を立てた時のみ、電子部品を高速動作させ、チルト足を閉じた状態では、低速動作をさせるので、チルト足が閉じた状態での熱の発生を抑制することができて、膝上で使用する際の低温火傷を防止することができる。
【００４９】
請求項４記載の発明によれば、仕切り部を設けるので、最適な排気空間を形成することができて、効率の良い熱排気をすることができる。
【図面の簡単な説明】
【図１】本発明の原理図である。
【図２】本発明の実施形態による情報処理装置を示す図である。
【図３】図２の情報処理装置の動作説明図である。
【図４】図２の情報処理装置の動作説明図である。
【図５】従来のノートパソコンの斜視図である。
【符号の説明】
２０  筐体
２１  第２排気孔
２２  キーボード
２４  ディスプレイ
２６  チルト足
２７  第１排気孔
２８  第１シャフト
３０  ファン
３２  仕切り部
３４  突起部
３８  スイッチ部
３９  第２シャフト
４０  電源部
４５  クロック切替え部
【図１】
0003889114.tif 000002
【図２】
0003889114.tif 000003
【図３】
0003889114.tif 000004
【図４】
0003889114.tif 000005
【図５】
0003889114.tif 000006